(57)【要約】      （修正有）【課題】ラックに保管したままの新聞等に巻球ごと紐を這わせ切断器具等を使用せずに容易かつ確実に結束ができるラックを安価な費用で提供する。【解決手段】４隅に鉛直方向配置された４の支柱部２と、床面に接しラック本体を支えつつ前記４の支柱部を連結する４の台座部３と、前記支柱部より水平方向内側かつ同一平面上に突出して新聞等を受ける４の受台部４と、前記４の支柱部のいずれかに配設された１の結束装置５と、を有し、前記支柱部間、前記受台部間及び前記台座部・前記受台部間に結束紐が巻球ごと通過可能な離間空域が有り、前記結束装置は切り刃及び紐止めを具備する。結束作業の手順は、作業開始時に結束紐の先端を前記紐止めに固定し、結束紐を巻球の状態で前記支柱部及び前記受台部の離間部分を通しつつ前記受台部に重積された紙類をまとめ、作業終末時に前記切り刃によって前記結束紐を前記巻球から切断し結束する。【選択図】図１
0003192287.tif 000002
【実用新案登録請求の範囲】
【請求項１】
紙類を保管するラックであって、
箱型の空間を有し、
前記箱型の空間の４の柱の位置近辺に鉛直方向に配置された４の支柱部と、
床面に接しラック本体を支えつつ前記４の支柱部を連結する４の台座部と、
前記支柱部の床面より高い位置から水平方向内側かつ同一平面上に突出する４の受台部と、
前記４の支柱部のうちのいずれか１の支柱部の上部に配設された１の結束装置と、
を有し、前記受台部上に重積された紙類を移動せずに結束紐により結束可能であることを特徴とするラック。
【請求項２】
前記４の支柱部は各々の支柱部の間に、
前記４の台座部は各々の台座部の間に、
前記台座部及び前記受台部の間に、
それぞれ前記結束紐の巻球が通過できる空域を有し、前記結束紐を前記巻球から切断することなしに結束作業を実施できることを特徴とする請求項１記載のラック。
【請求項３】
前記結束装置は、前記結束紐の先端を前記紐止めに固定するための紐止めと、前記結束紐を前記巻球から切断するための切り刃、とを具備することを特徴とする請求項１又は２記載のラック。
【考案の詳細な説明】
【技術分野】
【０００１】
本考案は、新聞・雑誌等を保管し結束を行うためのラックに関する。
【背景技術】
【０００２】
従来の新聞・雑誌等（以降、「新聞等」という。）を保管するラックは単純な箱又は箱型であるが側壁がなく柱のみのものが知られている。これらのラックに保管した新聞等を整理・処分するには、ラック内の新聞等を取り出してから別の場所で結束作業を行うのが通常である。
【０００３】
上記のようなラックに保管された新聞等を結束する手順は次のようになる。（１）ラックから新聞等を出す。（２）紐を適当な長さに切り、新聞等の塊の6面を這わる。（３）上面および下面で紐を十文字に交差させて上面にて紐を固縛する。
【先行技術文献】
【特許文献】
【０００４】
【特許文献１】特開平９−２６７８１１号公報
【特許文献２】特開２００１−２１３４１２号公報
【考案の概要】
【考案が解決しようとする課題】
【０００５】
前述の様な方法は、ラックから新聞等を取り出す作業が面倒なうえ、結束時には、新聞等の塊の下面を持ち上げて紐を通して十文字にせねばならないため、積み上げた新聞等が崩れることもあり、確実にきつく結束することが難しい。
【０００６】
このため、特許文献１では、ラックの台座に十文字の溝を設け、新聞等を取り出さずに新聞等の塊の下面に紐を通しつつ十文字を作成することができるラックの発明が開示されている。しかしながら、このラックでは紐を巻球ごと底面を通すことができないため、ある程度紐の長さを予測して切っておく必要あること、また、そのようにすると、切った紐が絡んだりして作業が行いにくくなる等の問題がある。
【０００７】
上記の問題を解決するために特許文献２に開示の新聞等ラックは、Ｌ字型のパイプ状のもので新聞等の塊の側面を支える構成となっており、これにより紐を巻球のまま新聞等の周囲及び下面に這わせることができる。しかしながら、このラックはパイプの構成が複雑で作成について高い費用がかかることが予想されるうえ、最初に紐の先端を固定しておく場所と、紐を切断する装置がないため、結束作業の終末時に紐が緩んでしまうことが考えられる。
【０００８】
上述の問題に鑑み、本考案においては、ラックに保管したままの新聞等の側面及び下面に巻球ごと紐を這わせ、たやすく上面および下面に十文字を作ることができ、切断器具等を使用せずに新聞等を確実に結束することができる新聞等のラックを安価な費用で提供することを課題とする。
【課題を解決するための手段】
【０００９】
上記課題を解決するために、本考案に係る新聞ラックは、箱型の空間を有するラックであって、前記箱型の空間の４の柱の位置近辺に鉛直方向配置された４の支柱部と、床面に接しラック本体を支えつつ前記４の支柱部を連結する４の台座部と、前記支柱部の床面より高い位置から水平方向内側かつ同一平面上に突出して新聞等を受ける４の受台部と、前記４の支柱部のうちのいずれか１の支柱部の上部に配設された１の結束装置と、を有し、前記支柱部間、前記受台部間及び前記台座部・前記受台部間に結束紐が巻球ごと通過させることができる離間空域が有り、前記受台部上に重積された新聞等を移動せずに結束紐により結束可能であることを特徴とする。また、前記結束装置は結束紐の先端を固定するための紐止めと、結束紐を切断するための切り刃を具備する。
【００１０】
結束作業の手順は、作業開始時に結束紐の先端を前記紐止めに固定し、結束紐を巻球の状態で前記支柱部間、前記受台部間及び前記台座部・前記受台部間の離間空域を通しつつ前記受台部に重積された紙類をまとめ、作業終末時に前記切り刃によって前記結束紐を前記巻球から切断し結束する。
【考案の効果】
【００１１】
支柱部間、受台部間及び台座部・受台部間に、結束紐が巻球ごと通過できる離間空域が有るため、受台部上に重積された新聞等を移動せずに容易に結束できる。
【００１２】
結束紐の先端を予め結束装置の紐止めに固着しておき、結束紐を緩ませることなく新聞等の上下面及び側面を這わせ十文字を作成し、最後は結束装置の切り刃で切断し固縛することができるため、紐の長さ調整も必要なく、極めて容易に、かつ、固く新聞等を結束することができる。このことにより、新聞等の片付け時間が大幅に短縮し、身体が不自由な方や年寄りの方でも、簡単に結束作業ができるようになる。
【図面の簡単な説明】
【００１３】
【図１】本実施形態のラックの全体構造を示す斜視図である。
【図２】結束紐を新聞等に巻着する作業を示す斜視図である。
【図３】結束紐を結束装置の切り刃で切断する作業を示す斜視図である。
【図４】結束紐を固縛する作業を示す斜視図である。
【図５】結束装置の斜視図である。
【考案を実施するための形態】
【００１４】
以下、本考案の実施形態について図を用いて説明する。
【００１５】
前述したように本考案に係るラック１は新聞等７を保管するための箱型の空間を有し、該箱型の空間の４の柱の位置近辺に鉛直方向配置された支柱部２、床面に接しラック本体を支えつつ支柱部２を連結する台座部３、支柱部２の床面より高い位置からラック１の内部に水平方向かつ同一平面上に突出して新聞等７を受ける受台部４、及び４の支柱部のうちのいずれか１の支柱部の上部に配設された結束装置５によって構成される。
【００１６】
本実施形態では、支柱部２・台座部３・受台部４の素材として鉄又はステンレス製の金属線材を使用する。これらの線材はすべて溶接により作成することもできるし、また、線材の曲折部分に接続具を使用し分解・組立が可能なものとしてもよい。
【００１７】
支柱部２は、前記箱型の空間の上面の角を形成するＬ字線材２１と、Ｌ字線材２１の両端から鉛直下方向に伸びる２本の支柱線材２２によって構成される。支柱線材２２は台座部３を形成する中間線材３１により隣接する別の支柱部２の支柱線材２２と接続されていて、支柱線材２２は床面に接しつつラック１及びラック1に保管される新聞等７の重量を支持する。
【００１８】
本実施形態においては、各支柱部を構成する２の支柱線材２２の床面より高い位置から突出する受台部４は円形の載置線材４１を有し、保管される新聞等は同一平面上に配置された４の載置線材４１によって支持される。
【００１９】
図５に示すように、６の支柱線材２２のいずれか1に設置された結束装置５は、閉じ紐６の先端を固定するための紐止め５１と、閉じ紐６を巻球６１から切断するための切り刃５２を有する。紐止め５１は支柱線材２２の表面を押接する形でゴム片（不図示）を有し、該ゴム片と支柱線材２２の間に閉じ紐を圧入することにより閉じ紐６が固定される。
【００２０】
図２は、閉じ紐６の先端を紐止め５１に固定し、閉じ紐６を新聞等７に巻着する作業の様子を示す。閉じ紐６の先端を紐止め５１固定することができ、かつ、隣接する支柱部２、受台部３及び台座部４・受台部５の間に結束紐６を巻球６１ごと通過させることができる離間空域が有るため、結束作業は極めて容易なものとなる。
【００２１】
図３は、閉じ紐６を結束装置５の切り刃５２によって巻球６１から切断した状態を示す。図４は閉じ紐６の先端と終端を結束装置５から外し、新聞等の上面で固縛した状態を示す。
【００２２】
以上、本考案の有する特徴及び優れた点を、上記実施形態に記載したが、本考案は、本考案の原理の範囲内で、本願の実用新案登録請求の範囲で使用されている言葉を広く一般的な意味にまで広げて実施することが可能である。特に支柱部・台座部・受台部の素材や形状、結束装置の位置や紐止めの方法については、様々な実施形態が可能であり、それらは本考案の技術的範囲に含まれるものと解する。
【符号の説明】
【００２３】
１    ラック
２    支柱部
２１  Ｌ字線材
２２  支柱線材
３    台座部
３１  柱間線材
４    受台部
４１  載置線材
４２  固定具
５    結束装置
５１  紐止め
５２  切り刃
６    閉じ紐
６１  巻球
７    新聞等
【図１】
0003192287.tif 000003
【図２】
0003192287.tif 000004
【図３】
0003192287.tif 000005
【図４】
0003192287.tif 000006
【図５】
0003192287.tif 000007